(57)【要約】【課題】  録画中にデジタルテレビ放送波及びアナログテレビ放送波の受信感度が変化しても、テレビ放送を良好に録画し視聴することができる携帯情報端末装置を提供することを目的とする。【解決手段】  デジタルテレビ放送波及びアナログテレビ放送波の受信感度に基づいて、同一放送事業者から提供されるデジタルテレビ放送及びアナログテレビ放送のいずれかを選択して録画する。デジタル録画部６及びアナログ録画部７の切替情報８３を格納し、この切替情報８３に基づいてデジタルデータファイル８１及びアナログデータファイル８２を順次に読み出す。これにより、デジタルテレビ放送及びアナログテレビ放送の組み合わせからなる一連のテレビ放送を視聴することができるので、録画中にデジタルテレビ放送波及びアナログテレビ放送波の受信感度が変化しても、テレビ放送を良好に録画し視聴することができる。【選択図】  図１
2007165993.tif 000002
【特許請求の範囲】
【請求項１】
デジタルテレビ放送波及びアナログテレビ放送波を受信して、いずれかのテレビ放送波に基づくテレビ画像を表示画面に表示させることができる携帯情報端末装置において、
デジタルテレビ放送波に基づくテレビ画像のデータファイルを格納するデジタル録画手段と、
アナログテレビ放送波に基づくテレビ画像のデータファイルを格納するアナログ録画手段と、
同一放送事業者から提供されるデジタルテレビ放送及びアナログテレビ放送の対応関係を記憶している対応関係記憶手段と、
デジタルテレビ放送波の受信感度を検出する受信感度検出手段と、
上記受信感度検出手段で検出される受信感度及び上記対応関係記憶手段に記憶されている対応関係に基づいて、デジタルテレビ放送及びアナログテレビ放送のいずれかを選択し、上記デジタル録画手段又は上記アナログ録画手段を制御する録画制御手段と、
上記録画制御手段により上記デジタル録画手段から上記アナログ録画手段へ制御が切り替えられたときの各データファイルの前後を関連付ける切替情報を格納する切替情報格納手段と、
上記切替情報格納手段に格納された切替情報に基づいて、上記デジタル録画手段及び上記アナログ録画手段により格納された各データファイルを順次に読み出して、各データファイルに基づくテレビ画像を上記表示画面に表示させる再生制御部とを備えたことを特徴とする携帯情報端末装置。
【請求項２】
上記切替情報格納手段は、上記録画制御手段により上記デジタル録画手段及び上記アナログ録画手段に相互に制御が切り替えられたときの各データファイルの前後を関連付ける切替情報を格納することを特徴とする請求項１に記載の携帯情報端末装置。
【請求項３】
上記録画制御手段は、デジタルテレビ放送波の受信感度が第１閾値以上であれば、上記デジタル録画手段を制御し、デジタルテレビ放送波の受信感度が上記第１閾値未満であれば、上記アナログ録画手段を制御することを特徴とする請求項１又は２に記載の携帯情報端末装置。
【請求項４】
上記受信感度検出手段は、デジタルテレビ放送波及びアナログテレビ放送波の受信感度を検出し、
上記録画制御手段は、デジタルテレビ放送波の受信感度が上記第１閾値未満で、アナログテレビ放送波の受信感度が第２閾値未満であれば、上記デジタル録画手段及び上記アナログ録画手段の制御を停止させることを特徴とする請求項３に記載の携帯情報端末装置。
【請求項５】
上記録画制御手段は、上記デジタル録画手段及び上記アナログ録画手段の制御を停止させているときに、デジタルテレビ放送波の受信感度が上記第１閾値以上となれば、上記デジタル録画手段を制御し、デジタルテレビ放送波の受信感度が上記第１閾値未満で、アナログテレビ放送波の受信感度が上記第２閾値以上となれば、上記アナログ録画手段を制御することを特徴とする請求項４に記載の携帯情報端末装置。
【請求項６】
上記録画制御手段が上記デジタル録画手段及び上記アナログ録画手段の制御を停止させたことを報知するための録画停止報知手段を備えたことを特徴とする請求項４又は５に記載の携帯情報端末装置。
【発明の詳細な説明】
【技術分野】
【０００１】
本発明は、携帯情報端末装置に係り、さらに詳しくは、デジタルテレビ放送波及びアナログテレビ放送波を受信可能な携帯情報端末装置の改良に関する。
【背景技術】
【０００２】
テレビジョン受像機の中には、デジタルテレビ放送波及びアナログテレビ放送波を受信して、いずれかのテレビ放送波に基づくテレビ画像を表示画面に表示するとともに、そのテレビ画像に対応するテレビ音声を出力することにより、デジタルテレビ放送又はアナログテレビ放送を視聴することができるようになっているものがある（例えば、特許文献１，２）。
【０００３】
一般的に、デジタルテレビ放送波及びアナログテレビ放送波は、それぞれ異なる場所から発信されている。したがって、テレビ放送波を受信するためのアンテナの設置場所に応じて、デジタルテレビ放送波及びアナログテレビ放送波をいずれも受信できる地域と、デジタルテレビ放送波のみが受信できる地域と、アナログテレビ放送波のみが受信できる地域と、デジタルテレビ放送波及びアナログテレビ放送波をいずれも受信できない地域とが発生する。
【０００４】
デジタルテレビ放送波及びアナログテレビ放送波をいずれも受信できる地域では、デジタルテレビ放送とアナログテレビ放送とで同一のコンテンツからなるテレビ放送を視聴できるようになっている場合がある。このような地域では、デジタルテレビ放送波を受信できないアナログテレビ放送専用のテレビジョン受像機においては、アナログテレビ放送波を受信してアナログ放送を視聴することができ、デジタルテレビ放送波を受信可能なテレビジョン受像機においては、アナログテレビ放送よりも高画質のデジタルテレビ放送を視聴することができる。
【特許文献１】特開平４−３６９１８９号公報
【特許文献２】特開２００１−１２８０７８号公報
【発明の開示】
【発明が解決しようとする課題】
【０００５】
最近の携帯電話機などの携帯情報端末装置の中には、デジタルテレビ放送波及びアナログテレビ放送波を受信可能になっているものがある。しかし、ユーザによって持ち歩かれる携帯情報端末装置においては、地域によってデジタルテレビ放送波及びアナログテレビ放送波の受信感度が変化するという問題がある。つまり、デジタルテレビ放送を視聴しているときにデジタルテレビ放送波を受信できない地域に移動した場合には、デジタルテレビ放送を継続して視聴することができなくなり、アナログテレビ放送を視聴しているときにアナログテレビ放送波を受信できない地域に移動した場合には、アナログテレビ放送を継続して視聴することができなくなってしまう。
【０００６】
特に、録画機能を有する携帯情報端末装置を用いて、デジタルテレビ放送又はアナログテレビ放送を視聴することなく録画しながら移動しているときには、それらのテレビ放送波を受信できない地域に入ったことに気付かない場合がある。このような場合には、後になって、録画できていると思っていたテレビ放送が録画できていないことに気付き、見たかったテレビ放送を見逃してしまうといった事態が生じてしまう。
【０００７】
本発明は、上記の事情に鑑みてなされたものであり、録画中にデジタルテレビ放送波及びアナログテレビ放送波の受信感度が変化しても、テレビ放送を良好に録画し視聴することができる携帯情報端末装置を提供することを目的とする。
【課題を解決するための手段】
【０００８】
第１の本発明による携帯情報端末装置は、デジタルテレビ放送波及びアナログテレビ放送波を受信して、いずれかのテレビ放送波に基づくテレビ画像を表示画面に表示させることができる携帯情報端末装置において、デジタルテレビ放送波に基づくテレビ画像のデータファイルを格納するデジタル録画手段と、アナログテレビ放送波に基づくテレビ画像のデータファイルを格納するアナログ録画手段と、同一放送事業者から提供されるデジタルテレビ放送及びアナログテレビ放送の対応関係を記憶している対応関係記憶手段と、デジタルテレビ放送波の受信感度を検出する受信感度検出手段と、上記受信感度検出手段で検出される受信感度及び上記対応関係記憶手段に記憶されている対応関係に基づいて、デジタルテレビ放送及びアナログテレビ放送のいずれかを選択し、上記デジタル録画手段又は上記アナログ録画手段を制御する録画制御手段と、上記録画制御手段により上記デジタル録画手段から上記アナログ録画手段へ制御が切り替えられたときの各データファイルの前後を関連付ける切替情報を格納する切替情報格納手段と、上記切替情報格納手段に格納された切替情報に基づいて、上記デジタル録画手段及び上記アナログ録画手段により格納された各データファイルを順次に読み出して、各データファイルに基づくテレビ画像を上記表示画面に表示させる再生制御部とを備えて構成される。
【０００９】
このような構成により、デジタルテレビ放送波の受信感度に基づいて、同一放送事業者から提供されるデジタルテレビ放送及びアナログテレビ放送のいずれか一方のテレビ画像を録画することができる。例えば、デジタルテレビ放送を録画しているときに、デジタルテレビ放送波の受信感度が低下した場合には、同一放送事業者から提供される同一のコンテンツからなるアナログテレビ放送を録画することができる。
【００１０】
録画されたデジタルテレビ放送及びアナログテレビ放送の各テレビ画像は、録画されたときの切替情報に基づいて順次に表示画面に表示され、これにより、デジタルテレビ放送及びアナログテレビ放送の組み合わせからなる一連のテレビ放送を視聴することができる。したがって、録画中にデジタルテレビ放送波及びアナログテレビ放送波の受信感度が変化しても、テレビ放送を良好に録画し視聴することができる。
【００１１】
第２の本発明による携帯情報端末装置において、上記切替情報格納手段は、上記録画制御手段により上記デジタル録画手段及び上記アナログ録画手段に相互に制御が切り替えられたときの各データファイルの前後を関連付ける切替情報を格納する。
【００１２】
このような構成により、デジタルテレビ放送及びアナログテレビ放送を相互に切り替えて録画し、その切替情報に基づいて、デジタルテレビ放送及びアナログテレビ放送の組み合わせからなる一連のテレビ放送を視聴することができる。例えば、デジタルテレビ放送を録画しているときにデジタルテレビ放送波の受信感度が低下した場合には、アナログテレビ放送の録画に切り替え、アナログテレビ放送を録画しているときにデジタルテレビ放送波の受信感度が向上した場合には、デジタルテレビ放送の録画に切り替えることができる。
【００１３】
第３の本発明による携帯情報端末装置において、上記録画制御手段は、デジタルテレビ放送波の受信感度が第１閾値以上であれば、上記デジタル録画手段を制御し、デジタルテレビ放送波の受信感度が上記第１閾値未満であれば、上記アナログ録画手段を制御するように構成される。
【００１４】
このような構成により、アナログテレビ放送を録画しているときに、デジタルテレビ放送波の受信感度が第１閾値以上に向上した場合には、デジタルテレビ放送を録画することができる。また、デジタルテレビ放送を録画しているときに、デジタルテレビ放送波の受信感度が第１閾値未満に低下した場合には、アナログテレビ放送を録画することができる。
【００１５】
このように、デジタルテレビ放送波の受信感度が高いときには、デジタルテレビ放送を優先的に録画し、デジタルテレビ放送波の受信感度が低いときにのみ、アナログテレビ放送を録画することにより、できるだけ高画質のデジタルテレビ放送のテレビ画像を録画することができる。したがって、テレビ放送をより良好に録画し視聴することができる。
【００１６】
第４の本発明による携帯情報端末装置において、上記受信感度検出手段は、デジタルテレビ放送波及びアナログテレビ放送波の受信感度を検出し、上記録画制御手段は、デジタルテレビ放送波の受信感度が上記第１閾値未満で、アナログテレビ放送波の受信感度が第２閾値未満であれば、上記デジタル録画手段及び上記アナログ録画手段の制御を停止させるように構成される。
【００１７】
このような構成により、デジタルテレビ放送波の受信感度が第１閾値未満に低下し、このときアナログテレビ放送波の受信感度が第２閾値未満であれば、デジタルテレビ放送及びアナログテレビ放送の録画を停止させることができる。これにより、デジタルテレビ放送及びアナログテレビ放送のいずれも良好に録画することができないときには、録画を停止することにより、無駄な録画を防止し、消費電力を抑制することができる。
【００１８】
第５の本発明による携帯情報端末装置において、上記録画制御手段は、上記デジタル録画手段及び上記アナログ録画手段の制御を停止させているときに、デジタルテレビ放送波の受信感度が上記第１閾値以上となれば、上記デジタル録画手段を制御し、デジタルテレビ放送波の受信感度が上記第１閾値未満で、アナログテレビ放送波の受信感度が上記第２閾値以上となれば、上記アナログ録画手段を制御するように構成される。
【００１９】
このような構成により、録画を停止しているときであっても、デジタルテレビ放送波の受信感度が第１閾値以上に向上した場合には、デジタルテレビ放送を録画することができる。また、デジタルテレビ放送波の受信感度が第１閾値未満であっても、このときアナログテレビ放送波の受信感度が第２閾値以上であれば、アナログテレビ放送を録画することができる。したがって、録画を停止しているときに、デジタルテレビ放送波又はアナログテレビ放送波の受信感度が向上し、良好に録画することができるような状態になった場合には、録画を再開することができる。
【００２０】
第６の本発明による携帯情報端末装置は、上記録画制御手段が上記デジタル録画手段及び上記アナログ録画手段の制御を停止させたことを報知するための録画停止報知手段を備えて構成される。
【００２１】
このような構成により、デジタルテレビ放送及びアナログテレビ放送のいずれも録画されていない部分があることをユーザに報知することができる。このとき、ユーザが、デジタルテレビ放送波又はアナログテレビ放送波を受信可能な位置まで移動することができるような状況であれば、そのような位置まで移動することにより、デジタルテレビ放送又はアナログテレビ放送を引き続き録画することができる。
【発明の効果】
【００２２】
本発明によれば、デジタルテレビ放送波の受信感度に基づいて、同一放送事業者から提供されるデジタルテレビ放送及びアナログテレビ放送のいずれか一方のテレビ画像を録画することができる。録画されたデジタルテレビ放送及びアナログテレビ放送の各テレビ画像を、録画されたときの切替情報に基づいて順次に表示画面に表示することにより、デジタルテレビ放送及びアナログテレビ放送の組み合わせからなる一連のテレビ放送を視聴することができる。したがって、録画中にデジタルテレビ放送波及びアナログテレビ放送波の受信感度が変化しても、テレビ放送を良好に録画し視聴することができる。
【発明を実施するための最良の形態】
【００２３】
図１は、本発明の実施の形態による携帯情報端末装置の一例を示したブロック図であり、携帯情報端末装置の一例として携帯電話機１が示されている。この携帯電話機１は、デジタルテレビ放送波を受信するためのデジタル受信アンテナ２と、アナログテレビ放送波を受信するためのアナログ受信アンテナ３とを備え、いずれかのテレビ放送波に基づくテレビ画像を液晶表示器４に表示するとともに、そのテレビ画像に対応するテレビ音声をスピーカ５から出力することにより、デジタルテレビ放送又はアナログテレビ放送を視聴することができるようになっている。
【００２４】
この携帯電話機１は、デジタルテレビ放送及びアナログテレビ放送を録画する機能を有している。デジタルテレビ放送の録画はデジタル録画部６により行われ、アナログテレビ放送の録画はアナログ録画部７により行われる。デジタル録画部６はデジタル受信アンテナ２で受信したデジタルテレビ放送波に基づいて、アナログ録画部７はアナログ受信アンテナ３で受信したアナログテレビ放送波に基づいて、それぞれテレビ画像及びテレビ音声を含むデータファイルを生成し、そのデータファイルをメモリ８に格納することにより録画を行う。
【００２５】
デジタル録画部６は、デジタルチューナ６１、復調器６２及び信号分離部６３を備えている。デジタルテレビ放送波は、いわゆるＯＦＤＭ(Orthogonal Frequency Division Multiplexing)方式で変調されており、デジタル受信アンテナ２で受信したデジタルテレビ放送波は、デジタルチューナ６１で同調され、特定周波数のデータが復調器６２で復調される。信号分離部６３は、復調器６２から入力されるデジタル信号から必要な信号を分離することにより、テレビ画像及びテレビ音声を含むデジタルデータファイル８１を生成し、そのデジタルデータファイル８１をメモリ８に格納する。テレビ画像やテレビ音声のデータを２以上に分割されたパケットデータとして受信した場合には、誤り訂正符号などの制御情報を信号分離部６３で分離することにより、テレビ画像やテレビ音声などの必要なデータを抽出することができる。
【００２６】
アナログ録画部７は、アナログチューナ７１、復調器７２及びエンコーダ７３を備えている。アナログテレビ放送は、いわゆるＮＴＳＣ(National Television Standards Committee)方式で変調されており、アナログ受信アンテナ３で受信したアナログテレビ放送波は、アナログチューナ７で同調され、特定周波数のデータが復調器７２で復調される。エンコーダ７３は、復調器７２から入力されるアナログ信号をデジタル信号に符号化することにより、テレビ画像及びテレビ音声からなるアナログデータファイル８２を生成し、そのアナログデータファイル８２をメモリ８に格納する。
【００２７】
このように、デジタルテレビ放送波を受信して得られる信号は、エンコードされたデジタル信号であるため、そのデジタル信号のデータ形式を変更することなくそのままメモリ８に記録することにより、デジタルデータファイル８１を生成することができる。一方、アナログテレビ放送波を受信して得られるアナログ信号は、エンコーダ７３によりデジタル信号に変換してメモリ８に記録することにより、符号化されたアナログデータファイル８２としてメモリ８に記録することができる。ここで、エンコーダ７３は、アナログ信号を符号化して、いわゆる「ＭＰＥＧ−４」のデータ形式でアナログデータファイル８２を生成するものとする。
【００２８】
デジタルテレビ放送及びアナログテレビ放送の録画は、録画制御部９により制御される。録画制御部９は、デジタルテレビ放送及びアナログテレビ放送のいずれかを選択し、デジタル録画部６又はアナログ録画部７を制御することにより、デジタルテレビ放送又はアナログテレビ放送を択一的に録画する。録画制御部９には、受信感度検出部１０及びＡ／Ｄ対応関係記憶部１１からの信号が入力されるようになっている。
【００２９】
受信感度検出部１０は、デジタルチューナ６１及びアナログチューナ７１からの入力信号に基づいて、デジタルテレビ放送波及びアナログテレビ放送波の受信感度を検出する。Ａ／Ｄ対応関係記憶部１１は、同一放送事業者から提供されるデジタルテレビ放送及びアナログテレビ放送の対応関係を記憶している。すなわち、地域によっては、同一事業者が同一のコンテンツからなるデジタルテレビ放送及びアナログテレビ放送を提供している場合があり、Ａ／Ｄ対応関係記憶部１１には、このような同一のコンテンツからなるデジタルテレビ放送及びアナログテレビ放送の対応関係が記憶されている。
【００３０】
Ａ／Ｄ対応関係記憶部１１には、各地域におけるデジタルテレビ放送及びアナログテレビ放送の対応関係が予め記憶されていてもよいし、無線通信によりサーバからダウンロードできるようになっていてもよい。また、デジタルテレビ放送波の特定周波数に、デジタルテレビ放送及びアナログテレビ放送の対応関係のデータを割り当てることにより、デジタルテレビ放送波を受信することによって、その対応関係のデータがＡ／Ｄ対応関係記憶部１１に記憶されるようになっていてもよい。
【００３１】
録画制御部９は、受信感度検出部１０及びＡ／Ｄ対応関係記憶部１１からの入力信号に基づいて、デジタル録画部６又はアナログ録画部７を制御する。例えば、デジタル録画部６でデジタルテレビ放送を録画しているときに、デジタルテレビ放送波の受信感度が低下した場合には、同一放送事業者から提供される同一のコンテンツからなるアナログテレビ放送をアナログ録画部７で録画することができる。また、アナログ録画部７でアナログテレビ放送を録画しているときに、デジタルテレビ放送波の受信感度が向上した場合には、同一放送事業者から提供される同一のコンテンツからなるデジタルテレビ放送をデジタル録画部６で録画することができる。
【００３２】
メモリ８には、デジタルデータファイル８１及びアナログデータファイル８２に加えて、録画制御部９によりデジタル録画部６及びアナログ録画部７に相互に制御が切り替えられたときの切替情報８３が格納されるようになっている。この切替情報８３は、デジタルデータファイル８１及びアナログデータファイル８２を関連付ける情報であり、デジタルデータファイル８１及びアナログデータファイル８２の前後を関連付けている。したがって、メモリ８に格納されたデジタルデータファイル８１及びアナログデータファイル８２の順序は、切替情報８３に基づいて判定することができる。
【００３３】
メモリ８に格納されたデジタルデータファイル８１及びアナログデータファイル８２は、再生制御部１２により読み出され、デジタルデコーダ１３又はアナログデコーダ１４においてデコードされる。そして、デコードされた信号に基づいて、テレビ画像が液晶表示器４に表示されるとともに、テレビ音声がスピーカ５から出力されることにより、デジタルテレビ放送又はアナログテレビ放送を視聴することができる。
【００３４】
ここで、再生制御部１２は、メモリ８に格納されている切替情報８３に基づいて、デジタルデータファイル８１及びアナログデータファイル８２を順次に読み出すようになっている。したがって、デジタルデータファイル８１及びアナログデータファイル８２は、メモリ８に格納された順序に従って読み出されて、デジタルデータファイル８１のデータはデジタルデコーダ１３に入力され、アナログデータファイル８２のデータはアナログデコーダ１４に入力されることとなる。これにより、デジタルテレビ放送及びアナログテレビ放送の組み合わせからなる一連のテレビ放送を視聴することができるので、録画中にデジタルテレビ放送波及びアナログテレビ放送波の受信感度が変化しても、テレビ放送を良好に録画し視聴することができる。
【００３５】
本実施形態において、録画制御部９、受信感度検出部１０、再生制御部１２、デジタルデコーダ１３、アナログデコーダ１４、信号分離部６３及びエンコーダ７３は、ＣＰＵ(Central Processing Unit)がプログラム処理を行うことにより、機能的な処理部として構成されている。ＣＰＵ（図示せず）は、この携帯電話機１の主要な動作を制御しており、このＣＰＵの制御によって、デジタルテレビ放送及びアナログテレビ放送を録画することができるようになっている。
【００３６】
図２は、デジタルテレビ放送波及びアナログテレビ放送波の受信感度について説明するための概念図である。一般的に、デジタルテレビ放送波及びアナログテレビ放送波は、同一放送事業者から提供される同一のコンテンツからなるテレビ放送であっても、それぞれ異なる発信元２１，２２から発信される。
【００３７】
この携帯電話機１は、アナログ発信元２２から発信される一般の家庭用テレビ向けのアナログテレビ放送波を受信して、アナログ放送を視聴することができる。一方、この携帯電話機１が受信するデジタルテレビ放送波は、デジタル発信元２１から発信される一般のデジタルハイビジョン放送波の一定帯域に割り当てられた携帯電話機向けの１セグメント放送波であり、テレビ画像及びテレビ音声に加えて、そのテレビ画像に対応する字幕や関連する記事などの文字情報が含まれている。
【００３８】
このように、デジタルテレビ放送波及びアナログテレビ放送波は、その発信元２１，２２が異なる場所に設置されていることに加えて、それぞれの到達距離などの特性の違いから、地域によって受信感度が異なる。したがって、図２に示すように、携帯電話機１の位置によって、デジタルテレビ放送波及びアナログテレビ放送波をいずれも受信できる地域２３と、デジタルテレビ放送波のみが受信できる地域２４と、アナログテレビ放送波のみが受信できる地域２５と、デジタルテレビ放送波及びアナログテレビ放送波をいずれも受信できない地域２６とが発生する。
【００３９】
本実施の形態では、デジタルテレビ放送波及びアナログテレビ放送波の受信感度に基づいて、デジタルテレビ放送波及びアナログテレビ放送波をいずれも受信できる地域２３と、デジタルテレビ放送波のみが受信できる地域２４では、デジタルテレビ放送を録画し、アナログテレビ放送波のみが受信できる地域２５では、アナログテレビ放送を録画するようになっている。また、デジタルテレビ放送波及びアナログテレビ放送波をいずれも受信できない地域２６では、テレビ放送の録画を停止するようになっている。
【００４０】
ここで、デジタルテレビ放送波の受信感度が低い場合であっても、誤り訂正などによってテレビ画像を復元できる程度であれば、デジタルテレビ放送波を受信できる状態に含まれるものとし、テレビ画像を復元できない程度に受信感度が低い場合に、デジタルテレビ放送波を受信できない状態であるものとする。一方、アナログテレビ放送波の受信感度については、テレビ画像を認識できる程度であればアナログテレビ放送波を受信できる状態であるものとし、テレビ画像を認識できない程度に受信感度が低い場合に、アナログテレビ放送波を受信できない状態であるものとする。
【００４１】
図３は、テレビ放送を録画する際の処理の一例を示したフローチャートである。テレビ放送の録画が開始されると、録画が終了するまで（ステップＳ１０５でＹｅｓとなるまで）、デジタルテレビ放送波及びアナログテレビ放送波の受信感度を定期的に確認し、録画制御部９がデジタル録画部６及びアナログ録画部７に相互に制御を切り替える（ステップＳ１０１〜Ｓ１０８）。テレビ放送の録画は、ユーザ操作に基づいて開始又は終了するものであってもよいし、予めユーザが設定した時間に自動的に開始又は終了するものであってもよい。
【００４２】
デジタルテレビ放送波の受信感度が所定の第１閾値以上であり（ステップＳ１０１でＹｅｓ）、デジタルテレビ放送波を受信できる状態のときには、録画制御部９がデジタル録画部６を制御することにより、デジタルテレビ放送を録画する（ステップＳ１０６）。一方、デジタルテレビ放送波の受信感度が第１閾値未満である場合において（ステップＳ１０１でＮｏ）、アナログテレビ放送波の受信感度が所定の第２閾値以上であり（ステップＳ１０２でＹｅｓ）、アナログテレビ放送波を受信できる状態のときには、録画制御部９がアナログ録画部７を制御することにより、アナログテレビ放送を録画する（ステップＳ１０７）。
【００４３】
すなわち、アナログテレビ放送を録画しているときに、デジタルテレビ放送波の受信感度が第１閾値以上に向上した場合には、デジタル録画部６でデジタルテレビ放送を録画し、デジタルテレビ放送を録画しているときに、デジタルテレビ放送波の受信感度が第１閾値未満に低下した場合には、アナログ録画部７でアナログテレビ放送を録画することができる。このように、デジタルテレビ放送波の受信感度が高いときには、デジタルテレビ放送を優先的に録画し、デジタルテレビ放送波の受信感度が低いときにのみ、アナログテレビ放送を録画することにより、できるだけ高画質のデジタルテレビ放送のテレビ画像を録画することができる。したがって、テレビ放送をより良好に録画し視聴することができる。
【００４４】
上記のように、録画制御部９がデジタル録画部６及びアナログ録画部７に相互に制御を切り替えたときには、そのとき生成されるデジタルデータファイル８１とアナログデータファイル８２の前後を関連付ける切替情報８３がメモリ８に格納される（ステップＳ１０８）。
【００４５】
デジタルテレビ放送波の受信感度が第１閾値未満に低下し（ステップＳ１０１でＮｏ）、このときアナログテレビ放送波の受信感度が第２閾値未満であれば（ステップＳ１０２でＮｏ）、録画制御部９はデジタル録画部６及びアナログ録画部７の制御を停止して、デジタルテレビ放送及びアナログテレビ放送の録画を停止させる（ステップＳ１０３）。このように、デジタルテレビ放送及びアナログテレビ放送のいずれも良好に録画することができないときには、録画を停止することにより、無駄な録画を防止し、消費電力を抑制することができる。
【００４６】
デジタルテレビ放送及びアナログテレビ放送の録画を停止させた場合には、例えば、液晶表示器４に対する表示や、スピーカ５からの音声の出力、携帯電話機１内に備えられたバイブレーション装置（図示せず）の起動などにより、デジタルテレビ放送及びアナログテレビ放送の録画が停止されたことが報知される（ステップＳ１０４）。これにより、デジタルテレビ放送及びアナログテレビ放送のいずれも録画されていない部分があることをユーザに報知することができる。このとき、ユーザが、デジタルテレビ放送波又はアナログテレビ放送波を受信可能な位置まで移動することができるような状況であれば、そのような位置まで移動することにより、デジタルテレビ放送又はアナログテレビ放送を引き続き録画することができる。
【００４７】
デジタルテレビ放送及びアナログテレビ放送の録画が停止された状態であっても、デジタルテレビ放送波の受信感度が第１閾値以上に向上した場合には（ステップＳ１０１でＹｅｓ）、デジタルテレビ放送の録画が開始される（ステップＳ１０６）。また、デジタルテレビ放送波の受信感度が第１閾値未満であっても、このときアナログテレビ放送波の受信感度が第２閾値以上であれば（ステップＳ１０２でＹｅｓ）、アナログテレビ放送の録画が開始される（ステップＳ１０７）。したがって、録画を停止しているときに、デジタルテレビ放送波又はアナログテレビ放送波の受信感度が向上し、良好に録画することができるような状態になった場合には、録画を再開することができる。
【００４８】
図４は、録画したデジタルテレビ放送及びアナログテレビ放送のテレビ画像を再生する際の液晶表示器４の表示態様を示した概略図であり、（ａ）は、デジタルテレビ放送のテレビ画像を再生する際の態様、（ｂ）は、アナログテレビ放送のテレビ画像を再生する際の態様を示している。
【００４９】
図４に示すように、デジタルテレビ放送とアナログテレビ放送とでは、テレビ画像のアスペクト比が異なっている。すなわち、デジタルテレビ放送のテレビ画像は、アスペクト比が１６：９の横長形状であるのに対して、アナログテレビ放送のテレビ画像は、アスペクト比が４：３の横長形状となっている。また、デジタルテレビ放送では、受信したデジタルテレビ放送波に含まれる字幕や関連記事などの文字情報を液晶表示器４に表示させることができるようになっている。
【００５０】
このように、デジタルテレビ放送とアナログテレビ放送とでは、テレビ画像のアスペクト比の違いや、テレビ画像以外の表示内容の違いから、図４（ａ）及び（ｂ）に示すように、液晶表示器４の表示態様が異なっている。
【００５１】
デジタルテレビ放送のテレビ画像を再生する際には、図４（ａ）に示すように、液晶表示器４の表示画面は、テレビ画像を表示するためのテレビ画像表示領域４１と、デジタルテレビ放送波に含まれるテレビ画像以外の文字情報を表示するためのデータ放送領域４２と、チャンネルや音量などを表示するためのグラフィック領域４３とに分割される。ここで、字幕情報を表示させるように設定されている場合には、データ放送領域４２の一部が字幕表示領域４４となり、この字幕表示領域４４内に、例えば３行×１２列の字幕情報が順次に切り替えて表示される。
【００５２】
一方、アナログテレビ放送のテレビ画像を再生する際には、図４（ｂ）に示すように、液晶表示器４の表示画面は、テレビ画像を表示するためのテレビ画像表示領域４５と、チャンネルや音量などを表示するためのグラフィック領域４６とに分割される。
【００５３】
デジタルデータファイル８１及びアナログデータファイル８２をメモリ８から順次に読み出して、デジタルテレビ放送及びアナログテレビ放送の組み合わせからなる一連のテレビ画像を液晶表示器４に表示させる際には、図４（ａ）及び（ｂ）に示すような表示画面が交互に切り替えられて表示されることとなる。したがって、字幕情報を表示させるように設定されている場合には、図４（ａ）に示すようにデジタルテレビ放送のテレビ画像が再生されているときにのみ、字幕表示領域４４に字幕情報が表示されることとなる。
【００５４】
上記実施の形態では、携帯通信端末装置の一例として携帯電話機１について説明したが、本発明は、携帯電話機１に限らず、携帯型のパーソナルコンピュータやＰＤＡ(Personal Digital Assistance)などの他の携帯情報端末装置にも適用可能である。
【図面の簡単な説明】
【００５５】
【図１】本発明の実施の形態による携帯情報端末装置の一例を示したブロック図であり、携帯情報端末装置の一例として携帯電話機が示されている。
【図２】デジタルテレビ放送波及びアナログテレビ放送波の受信感度について説明するための概念図である。
【図３】テレビ放送を録画する際の処理の一例を示したフローチャートである。
【図４】録画したデジタルテレビ放送及びアナログテレビ放送のテレビ画像を再生する際の液晶表示器の表示態様を示した概略図であり、（ａ）は、デジタルテレビ放送のテレビ画像を再生する際の態様、（ｂ）は、アナログテレビ放送のテレビ画像を再生する際の態様を示している。
【符号の説明】
【００５６】
１  携帯電話機
２  デジタル受信アンテナ
３  アナログ受信アンテナ
４  液晶表示器
５  スピーカ
６  デジタル録画部
７  アナログ録画部
８  メモリ
９  録画制御部
１０  受信感度検出部
１１  Ａ／Ｄ対応関係記憶部
１２  再生制御部
１３  デジタルデコーダ
１４  アナログデコーダ
６１  デジタルチューナ
６２  復調器
６３  信号分離部
７１  アナログチューナ
７２  復調器
７３  エンコーダ
８１  デジタルデータファイル
８２  アナログデータファイル
８３  切替情報
【図１】
2007165993.tif 000003
【図２】
2007165993.tif 000004
【図３】
2007165993.tif 000005
【図４】
2007165993.tif 000006